(57)【要約】  【課題】移動時の利便性と収納庫やロッカー等への装脱時の利便性を同時に向上させることができる収納具を提供する。  【解決手段】収納空間を有した収納具本体２と、この収納具本体２を肩から吊り下げることを可能にするショルダーベルト３とを備えた収納具１において、ショルダーベルト３が、吊下げ用の起立姿勢と倒伏姿勢（Ｂ）とをとり得る状態で前記収納具本体２に取付けられ、その倒伏姿勢（Ｂ）で前記収納具本体２を水平移動させ得る引手となるように構成されている構成を採用する。【選択図】図５
2020039654.tif 000002
【特許請求の範囲】
【請求項１】
収納空間を有した収納具本体と、この収納具本体を肩から吊り下げることを可能にするショルダーベルトとを備えた収納具であって、
ショルダーベルトは、吊下げ用の起立姿勢と倒伏姿勢とをとり得る状態で前記収納具本体に取付けられ、その倒伏姿勢で前記収納具本体を水平移動させ得る引手となるように構成されている収納具。
【請求項２】
前記ショルダーベルトは、対をなす取り付け部が前記収納具本体に取り付けられたものであり、
前記倒伏姿勢では、前記ショルダーベルトの中間部が前記両取り付け部に対して斜め下方に位置づけられる請求項１記載の収納具。
【請求項３】
前記倒伏姿勢では、前記ショルダーベルトの中間部と前記収納具本体との間に空間部が形成される請求項２記載の収納具。
【請求項４】
前記ショルダーベルトの両取り付け部は、前記収納具本体にそれぞれ回動可能に接続され、一方の取り付け部は収納具本体における特定方向の中央に対して前記特定方向の一端側に偏移させ、且つ他方の取り付け部は前記特定方向の中央に対して前記特定方向の他端側に偏移させてある請求項２記載の収納具。
【請求項５】
前記収納具本体の底面は、滑動性の良い素材により形成されている請求項１、２、３又は４記載の収納具。
【請求項６】
前記収納具本体の外面の中間部には、名刺ポケットが形成され、その名刺ポケットは、前記倒伏姿勢におけるショルダーベルトと干渉しないように位置づけられている請求項１、２、３、４又は５記載の収納具。
【発明の詳細な説明】
【技術分野】
【０００１】
本発明は、オフィス等で好適に使用される収納具に関する。
【背景技術】
【０００２】
近時、仕事に必要なパーソナルコンピュータその他のツールを収納して社内移動するための収納具が普及しつつあり、働き方の変革に伴ってその重要度も日増しに増大している。
【０００３】
この種の収納具としては、ボックス状の収納具本体の開口縁近傍に持ち手を設けたものが知られており、特にフリーアドレス制を導入しているオフィス等において重宝されている（例えば、非特許文献１を参照）。
【０００４】
ところが、従来の収納具は、前記持ち手に手を掛けてカバンのように持ち歩くようになっているため、移動時に少なくとも片手が塞がってしまう。そのため、もう一方の手で書類等を抱えたりすると両方の手が使えなくなり、扉の開け閉め等に不便が生じる。
【０００５】
肩から吊り下げて移動することができる一般的なトートバッグ等が社内移動専用の収納具に代用して使用されるケースも見受けられるが、かかるトートバッグ等は移動以外の社内等での使用態様については一切考慮されていない。
【先行技術文献】
【非特許文献】
【０００６】
【非特許文献１】コクヨ株式会社、“社内移動に最適  モバイルバッグ＜ｍｏ・ｂａｃｏ（モバコ）＞｜コクヨ”、[online]、平成29年、コクヨ株式会社、［平成30年9月11日検索］、インターネット<URL:https://www.kokuyo-st.co.jp/stationery/mobaco/>
【発明の概要】
【発明が解決しようとする課題】
【０００７】
本発明は、以上のような事情に鑑みてなされたもので、移動時の利便性と収納庫やロッカー等への装脱時の利便性を同時に向上させることができる収納具を提供することを目的としている。
【課題を解決するための手段】
【０００８】
請求項１記載の発明に係る収納具は、収納空間を有した収納具本体と、この収納具本体を肩から吊り下げることを可能にするショルダーベルトとを備えたものであって、ショルダーベルトが吊下げ用の起立姿勢と倒伏姿勢とをとり得る状態で前記収納具本体に取付けられ、その倒伏姿勢で前記収納具本体を水平移動させ得る引手となるように構成されている。
【０００９】
請求項２記載の発明に係る収納具は、請求項１記載のものにおいて、前記ショルダーベルトは対をなす取り付け部が前記収納具本体に取り付けられたものであり、前記倒伏姿勢では前記ショルダーベルトの中間部が前記両取り付け部に対して斜め下方に位置づけられるものである。
【００１０】
請求項３記載の発明に係る収納具は、請求項２記載のものにおいて、前記倒伏姿勢では前記ショルダーベルトの中間部と前記収納具本体との間に空間部が形成されるものである。
【００１１】
請求項４記載の発明に係る収納具は、請求項２記載のものにおいて、前記ショルダーベルトの両取り付け部は前記収納具本体にそれぞれ回動可能に接続され、一方の取り付け部は収納具本体における特定方向の中央に対して前記特定方向の一端側に偏移させ、且つ他方の取り付け部は前記特定方向の中央に対して前記特定方向の他端側に偏移させてあるものである。
【００１２】
請求項５記載の発明に係る収納具は、請求項１、２、３又は４記載のものにおいて、前記収納具本体の底面が滑動性の良い素材により形成されているものである。
【００１３】
請求項６記載の発明に係る収納具は、請求項１、２、３、４又は５記載のものにおいて、前記収納具本体の外面の中間部には、名刺ポケットが形成され、その名刺ポケットは、前記倒伏姿勢におけるショルダーベルトと干渉しないように位置づけられているものである。
【発明の効果】
【００１４】
本発明によれば、移動時の利便性と収納庫やロッカー等への装脱時の利便性を同時に向上させることができる収納具を提供することができる。
【図面の簡単な説明】
【００１５】
【図１】本発明の一実施形態に係る収納具を示す正面図。
【図２】同実施形態に係る収納具を示す左側面図。
【図３】同実施形態に係る収納具を示す背面図。
【図４】同実施形態に係る収納具を示す右側面図。
【図５】同実施形態に係る収納具を示す正面図。
【図６】同実施形態に係る収納具を示す右側面図。
【図７】同実施形態に係る収納具を示す平面図。
【図８】同実施形態に係る収納具のマチを展開させた状態を示す平面図。
【図９】図８におけるＡ−Ａ線に沿った切断端面図。
【図１０】同実施形態に係る収納具を示す斜視図。
【図１１】同実施形態に係る収納具の保形板を示す説明図。
【発明を実施するための形態】
【００１６】
以下、本発明の一実施形態を、図１〜図１１を参照しつつ説明する。
【００１７】
この収納具１は、収納空間Ｓを有した収納具本体２と、この収納具本体２を肩から吊り下げることを可能にするショルダーベルト３とを備えたものである。
【００１８】
収納具本体２は、上方に開放された収納空間Ｓを有したボックス型のもので、前記収納空間Ｓの下を塞ぐ底壁４と、前記収納空間Ｓを囲繞する正面壁５、一側面壁６、背面壁７、及び他側面壁８とを備えている。
【００１９】
底壁４は、外装シート４１の内面に図示しない内装シートを重ね合わせ、その周縁を相互に縫着してなるもので、外装シート４１及び図示しない内装シートは、それぞれ可撓変形可能な素材により構成されている。なお、前記外装シート４１には、滑動性の良い素材を選択して使用してあり、具体的には、ポリエステルを用いている。
【００２０】
正面壁５は、図１、図５、図７、図８及び図９に示すように、外装シート５１と内装シート５２との間に板状の剛性芯材５３及びクッションシート５４を介在させた正面壁本体５０を主体に構成されたものであり、剛性芯材５３は、当該正面壁本体５０の上半部にのみ配されている。正面壁本体５０の外面側には、第１、第２のポケット５６、５７が設けられているとともに、内面側の上端部には化粧用の下向ポケット５８が設けられている。第１のポケット５６は、下縁５６ａ及び外側縁５６ｂが正面壁本体５０の下縁５０ａ及び一側縁５０ｂにそれぞれ縫着されているとともに、内側縁５６ｃがマチ５６ｄを介して正面壁本体５０に連接されている。また、第２のポケット５７は、下縁５７ａ及び外側縁５７ｂが正面壁本体５０の下縁５０ａ及び他側縁５０ｃにそれぞれ縫着されているとともに、内側縁５７ｃがマチ５７ｄを介して正面壁本体５０に連接されている。第１のポケット５６の内側縁５６ｃと第２のポケットの内側縁５７ｃとは、線ファスナ５９を介して切離可能に接続されている。すなわち、線ファスナ５９を綴じると各マチ５６ｄ、５７ｄを屈曲させつつ両内側縁が接近し、第１、第２のポケット５６、５７は略面一に連続するようになっている。一方、線ファスナ５９を開くと、各マチ５６ｄ、５７ｄを展開しつつ両内側縁５６ｃ、５７ｃの上側が離間し、両ポケット５６、５７の開口幅が増大するようにしてある。
【００２１】
一側面壁６は、図２、図７、図８及び図９に示すように、外装シート６１と内装シート６２とからなる一側面壁本体６０を主体に構成されたもので、その外面にはポケット６４が形成されている。外装シート６１と内装シート６２とは可撓変形可能な素材により構成されている。ポケット６４は、一端縁６４ａが一側面壁本体６０の一端縁６０ａに縫着されている。そして、ポケット６４の下縁６４ｂが可撓変形可能な幕状をなす第１のマチ６４ｃを介して一側面壁本体６０の下縁６０ｂに、また、ポケット６４の他端縁６４ｄが折り畳み可能な第２のマチ６４ｅを介して一側面壁本体６０の他端縁６０ｃにそれぞれ接続されている。このポケット６４は、図示しないペットボトル入りの飲料等を挿入しておくためのものであり、第１、第２のマチ６４ｃ、６４ｅを展開した状態でポケット６４が大きく開くようになっている。第１、第２のマチ６４ｃ、６４ｅを畳むとポケット６４が一側面壁本体６０の外面に沿う位置まで閉じることができるようになっており、第２のマチ６４ｅには、この閉じ状態を維持するためのホック６４ｆが設けられている。
【００２２】
背面壁７は、図３、図７、図８及び図９に示すように、外装シート７１と内装シート７２との間に板状の剛性芯材７３及びクッションシート７４を介在させた背面壁本体７０を主体に構成されたものであり、剛性芯材７３は、当該背面壁本体７０の上半部にのみ配されている。背面壁本体７０の外面側には、ポケット７５が設けられているとともに、内面側の上端部には化粧用の下向ポケット７６が設けられている。外面側のポケット７５は、下縁７５ａ及び両側縁７５ｂが背面壁本体７０の下縁７０ａ及び両側縁７０ｂにそれぞれ縫着されたもので、上方に開放されている。
【００２３】
他側面壁８は、図４、図６、図７及び図８に示すように、外装シート８１と内装シート８２とからなる他側面壁本体８０を主体に構成されたもので、その外面の中間部には名刺ポケット８４が形成されている。外装シート８１と内装シート８２とは可撓変形可能な素材により構成されている。名刺ポケット８４は、上から名刺を挿入可能なポケット状のもので、挿入した名刺に対応する部位が透明窓８４ａとなっている。
【００２４】
また、この収納具本体２には、収納空間ＳをメインエリアＳ１とサブエリアＳ２に区成する仕切板９と、当該収納具本体２の全体形状をボックス状に維持するための保形板１０とが設けられている。
【００２５】
仕切板９は、図７、図８及び図９に示すように、外装シート９１と内装シート９２との間に板状の剛性芯材９３及びクッションシート９４を介在させた仕切板本体９０を主体に構成されたものであり、その仕切板本体９０の両端縁がマチ９５を介して背面壁７に切離可能に連接されている。
【００２６】
保形板１０は、弾性変形可能な剛性芯材１０１の一面に内装シート１０２を添設してなるもので、底壁４の内面に添接する底板部１０ａと、この底板部１０ａの両端にヒンジ部１０ｂを介して回動可能に連接され一側面壁６及び他側面壁８の内面にそれぞれ添接する側板部１０ｃとを備えたものである。前記ヒンジ部１０ｂは、当該部位における巾方向両端部以外の部位の剛性芯材１０１を打ち抜き等の方法により取り除いて形成した長孔１０１ｘを利用して設けられたものである。この保形板１０は、両側板部１０ｃの上端部を、一側面壁６の内面上端部に設けられた下向ポケット６５及び他側面壁８の内面上端部に設けられた図示しない下向ポケットにそれぞれ挿入した状態で当該収納具本体２内に装着されている。保形板１０は、その側板部を弾性変形させて対応する下向ポケットから抜き取ることによって、収納具本体２から取り出すことができる。そして、取り出した保形板は、図１１（ａ）、（ｂ）、（ｃ）に示すように板状に折り畳むことができ、折り畳んだ状態で、例えば、収納具本体２の収納空間ＳにおけるメインエリアＳ１等に収納しておくことができるようになっている。保形板１０を取り外した収納具本体２は、その底壁４及び両側面壁６、８が芯材を有しないことから、正面壁５と背面壁７とが接近するように全体を扁平に変形させることが可能であり、嵩を低くすることもできる。なお、ヒンジ部１０ｂの形成については、上述した以外に、当該部位における剛性芯材１０１を薄肉のものにする等、他の方法により行ってもよい。
【００２７】
以上説明したように収納具本体２は、収納空間Ｓを介して対向する対をなす壁、すなわち、正面壁５と背面壁７とを備えており、それらの壁５、７間に跨るようにしてショルダーベルト３が設けられている。
【００２８】
すなわち、ショルダーベルト３は、吊下げ用の起立姿勢（Ａ）と倒伏姿勢（Ｂ）とをとり得る状態で前記収納具本体２に取付けられ、その倒伏姿勢（Ｂ）において収納具本体２を水平移動させ得る引手となるように構成されている。このショルダーベルト３は、両端部に設定された対をなす取り付け部３１、３２が収納具本体２に取り付けられた帯状のものであり、図１〜図４に示す起立姿勢（Ａ）で使用者の肩に掛けることができる長さに設定されている。そして、図５及び図６に示す倒伏姿勢（Ｂ）では、ショルダーベルト３の中間部３３が前記両取り付け部３１、３２に対して斜め下方に位置づけられるようにしてあり、その中間部３３と収納具本体２との間に手を掛けることが可能な空間部３４が形成されるように設定されている。すなわち、この実施形態においては、倒伏姿勢（Ｂ）においてショルダーベルト３の中間部３３が収納具本体２の他側面壁８の外側に位置することになり、他側面壁８とその中間部３３との間に指を挿入可能な空間部３４が形成されるようになっている。すなわち、このショルダーベルト３の中間部３３が、収納具本体２を水平移動させる際に用いる引手としての機能を発揮する。
【００２９】
ショルダーベルト３の各取り付け部３１、３２は、それぞれ枢着軸３５を介して収納具本体２に回動可能に接続されている。そして、一方の取り付け部３１は収納具本体２における特定方向Ｄの中央Ｃに対して前記特定方向Ｄの一端側に距離Ｌだけ偏移させ、且つ他方の取り付け部３２は前記特定方向の中央Ｃに対して前記特定方向Ｄの他端側に距離Ｌだけ偏移させてある。この実施形態に沿って具体的に説明すれば、前述した特定方向Ｄとは、一側面壁６及び他側面壁８に直交する方向、換言すれば、図１における左右方向を意味し、その中央Ｃとは両側面壁６、８に対して等距離となる位置を意味している。そして、ショルダーベルト３の一方の取り付け部３１は、枢着軸３５を介して収納具本体２の正面壁５に枢着されている。詳述すれば、枢着軸３５は、外方端側に大径な頭部３５ａを有するとともに、内方端面に雌ネジ孔３５ｂを備えたものである。そして、この枢着軸３５を前記取り付け部３１に外側から貫通させた上で、その内方端側を正面壁５にかしめつけられた軸受け部材３６に回転可能に貫通させ、その内方端面の雌ネジ孔３５ｂに抜止部材３７を螺着することにより、ショルダーベルト３の一方の取り付け部３１が収納具本体２に回動可能に取付けられている。ショルダーベルト３における他方の取り付け部３２を背面壁７に取り付ける構造も、前述した一方の取り付け部３１の取り付け構造に準じたものであり、同一又は対応する部分に同一の符号を付して説明を省略する。
【００３０】
なお、本実施形態を示す図１は、ショルダーベルト３を起立姿勢（Ａ）とした収納具１を示す正面図であり、図２は同左側面図、図３は同背面図、図４は同右側面図である。また、図５は、ショルダーベルト３を倒伏姿勢（Ｂ）とした収納具１を示す正面図であり、図６は同右側面図である。図７は、収納具１を示す平面図であり、図８は、マチを展開させた状態を示す平面図である。図９は、図８におけるＡ−Ａ線に沿った切断端面図である。図１０は、ショルダーベルト３を倒伏姿勢（Ｂ）とした収納具１を示す斜視図である。そして、図１１は、保形板１０を示す説明図である。
【００３１】
このような構成のものであれば、ロッカー等での収納・保管状態から持ち運びの際のアクションを円滑に行うことができ、社内移動の利便性を高めることができる。
【００３２】
詳述すれば、本収納具１によれば、ショルダーベルト３を収納具本体２に対して回動させることによって、起立姿勢（Ａ）と倒伏姿勢（Ｂ）とを選択的に採らせることができる。ショルダーベルト３を起立姿勢（Ａ）にすれば、そのショルダーベルト３を肩にかけて収納具本体２を吊り下げることができる。そのため、使用者にかかる負担が少なくなり、収納具本体２にパーソナルコンピュータや書類など多くの物品を収納して楽に移動することができる。また、使用者は移動中に両手が開放されるため、移動の自由度が高くなる。
【００３３】
また、ショルダーベルト３を倒伏姿勢（Ｂ）にすると、収納具１全体の背丈が低くなり、ロッカーや収納庫等に効率よく収納することができる。しかも、倒伏姿勢（Ｂ）では、名刺ポケット８４を有した側面壁８の外側にショルダーベルト３の中間部３３が位置することになるため、この中間部３３を引手として利用することができる。すなわち、この中間部３３に手をかけて手前に引き出せば、収納具１全体をロッカー等から円滑に取り出すことができる。
【００３４】
しかも、この実施形態では、倒伏姿勢（Ｂ）において、ショルダーベルト３の中間部３３が両取り付け部３１、３２に対して斜め下方に位置づけられているため、取り出し時の収納具本体の転倒を抑制することができる。すなわち、引出し操作に伴ってショルダーベルト３に牽引力Ｆが作用すると、この牽引力Ｆは引出し方向を向く水平分力Ｆ１と、下を向く鉛直分力Ｆ２とに分解可能な力として枢着軸３５に作用することになる。そのため、下向の鉛直分力Ｆ２の存在により収納具本体２は下方に押し付けられることになり転倒が効果的に抑制される。換言すれば、この収納具１では、引手を引っ張って収納具本体２を水平移動させる際に、常に下向きの力ベクトルが生じるようにしているので、収納具本体２の転倒を抑制することができる。
【００３５】
また、前記ショルダーベルト３の中間部３３と前記収納具本体２との間に空間部３４が形成されているので、その空間部３４に指を挿入して中間部３３を持つことができ、収納具本体２のロッカー等からの取り出しを容易にすることができる。
【００３６】
さらに、ショルダーベルト３の対をなす取り付け部３１、３２を、収納具本体２の中央Ｃを挟んで左右に振り分けて配置しているので、起立姿勢（Ａ）のショルダーベルト２を肩に掛けやすく、ロッカー等での収納・保管状態から持ち運びの際のアクションをより円滑に行うことができる。しかも、肩に掛けた状態の収納具本体２の回動中心が二か所に分散配置されるため、収納具本体がシーソー運動を起こし難く安定した吊り下げ状態が得られる。
【００３７】
また、収納具本体２の底面、すなわち、底壁４の外装シート４１は、滑動性の良い素材により形成されているので、収納具本体２が水平移動しやすく、引っ掛かりによる転倒を防止又は抑制することができる。
【００３８】
そして、収納具本体２の外面の中間部には名刺ポケット８４が形成され、その名刺ポケット８４は、倒伏姿勢（Ｂ）におけるショルダーベルト３と干渉しないように位置づけられているので、収納・保管状態において当該収納具１の持ち主を明示することができる。
【００３９】
なお、本発明の構成は以上説明した実施形態のものに限定されるものではなく、また、その用途も社内移動用に限られないのは勿論である。
【符号の説明】
【００４０】
１…収納具
２…収納具本体
３…ショルダーベルト
３１、３２…取り付け部
３４…空間部
８４…名刺ポケット
（Ａ）…起立姿勢
（Ｂ）…倒伏姿勢
【図１】
2020039654.tif 000003
【図２】
2020039654.tif 000004
【図３】
2020039654.tif 000005
【図４】
2020039654.tif 000006
【図５】
2020039654.tif 000007
【図６】
2020039654.tif 000008
【図７】
2020039654.tif 000009
【図８】
2020039654.tif 000010
【図９】
2020039654.tif 000011
【図１０】
2020039654.tif 000012
【図１１】
2020039654.tif 000013